(57)【要約】【課題】記録トラック毎にＩＤ情報を設けることでセキュリティの強化を図り、また、磁気記録媒体の基板自体に書き換え困難なＩＤ情報を埋め込むことでＩＤの改竄を防ぎ、記録されるコンテンツデータと埋め込まれたＩＤ情報を関連付けることで、コンテンツの不正なコピーや改竄等の権利侵害からコンテンツを保護する。【解決手段】非磁性基板上の物理的凹凸パターンによりトラックＩＤ情報４１を記録トラック毎に埋め込み、記録トラックに記録したコンテンツデータを読み取る際に、コンテンツデータと共に記録トラックのトラックＩＤ情報４１を読み出す。【選択図】　　　　図１
2004054978.tif 000002
【特許請求の範囲】
【請求項１】
複数の記録トラックを有する磁気記録媒体において、前記記録トラック毎にトラックＩＤ情報を備えることを特徴とする磁気記録媒体。
【請求項２】
請求項１に記載の磁気記録媒体において、前記トラックＩＤ情報は非磁性基板上の物理的凹凸パターンにより記録トラック毎に埋め込まれていることを特徴とする磁気記録媒体。
【請求項３】
請求項２に記載の磁気記録媒体おいて、前記凹凸パターンによって表現されるトラックＩＤ情報の信号配列はトラック位置に応じた関連性・規則性はなく、記録トラック毎にランダムに設定された識別情報によって構成されることを特徴とする磁気記録媒体。
【請求項４】
請求項１から３のいずれかに記載の磁気記録媒体を備え、前記記録トラックに記録したコンテンツデータを読み取る際に、当該コンテンツデータと共に当該記録トラックの前記トラックＩＤ情報を読み出すことにより当該コンテンツデータに当該トラックＩＤ情報が付与されたコンテンツデータとして読み取ることを特徴とする磁気記録装置。
【発明の詳細な説明】
【０００１】
【発明の属する技術分野】
本発明は、記録トラック毎にトラックＩＤ情報を備える磁気記録媒体及び磁気記録装置に関し、特に、コンテンツの不正利用を防止するために用いて好適である。
【０００２】
【従来の技術】
インターネットの発達と大容量ハードディスク装置の技術進歩・普及により、ネットワークを経由してデジタルコンテンツが流通する条件が整いつつある。これに伴いテレビ放送受信における大容量ハードディスク装置の利用が考えられており、各家庭に１台以上導入される蓄積型受信機の中に１週間程度の放送・通信コンテンツを伝送、蓄積しておき、利用者が好きなときに好きなコンテンツを視聴できる「サーバー型放送」が登場しようとしている。
【０００３】
そこで、劣化がなく複製が容易というデジタルデータの特徴により、不正コピーやライセンス改竄等に見られる著作権侵害を食い止めることが大きな課題になっており、各デジタルコンテンツにユニークな著作権コード（コンテンツＩＤ）を付与することが考えられている。具体的にはコンテンツ毎にコピー制御情報や視聴許可期間情報、書込・読込属性等を付与するというものである。
しかしながら、これらはソフトウェアとして組み込まれたＩＤ情報であるために不正に書き換えられる可能性があり、今のところ改竄を完全に防ぐことは困難である。
【０００４】
【発明が解決しようとする課題】
本発明は、上述の点に鑑み、記録トラック毎にＩＤ情報を設けることにより、セキュリティの強化を図り、また、従来のソフトウェアとして組み込まれるコンテンツＩＤに対し、磁気記録媒体の基板自体に書き換え困難なＩＤ情報を埋め込むことでＩＤの改竄を防ぎ、記録されるコンテンツデータと埋め込まれたＩＤ情報を関連付けることで、コンテンツの不正なコピーや改竄等の権利侵害からコンテンツを保護することができるようにする磁気記録媒体及び磁気記録装置を提供することを目的とする。
【０００５】
【課題を解決するための手段】
上述の目的を達成するため、本発明の磁気記録媒体は、複数の記録トラックを有する磁気記録媒体において、記録トラック毎にトラックＩＤ情報を備えることを特徴とする。これによりＩＤ情報が増加されるので、記録するコンテンツデータとトラックＩＤ情報とを関連付けることでセキュリティを強化できる。
【０００６】
ここで、トラックＩＤ情報は非磁性基板上の物理的凹凸パターンにより記録トラック毎に埋め込まれていることが好ましい。これによりトラックＩＤ情報の書き換えは困難なものとなる。
【０００７】
また、凹凸パターンによって表現されるトラックＩＤ情報の信号配列はトラック位置に応じた関連性・規則性はなく、記録トラック毎にランダムに設定された識別情報によって構成されることが好ましい。これにより、磁気ヘッドから読み込んだデータの中のトラックＩＤ部分の信号論理を見破られて不正に書き換えられることを防ぐことができる。
【０００８】
さらに、本発明の磁気記録装置は、本発明の磁気記録媒体を備え、記録トラックに記録したコンテンツデータを読み取る際に、当該コンテンツデータと共に当該記録トラックのトラックＩＤ情報を読み出すことにより当該コンテンツデータに当該トラックＩＤ情報が付与されたコンテンツデータとして読み取ることを特徴とする。これによりトラックＩＤ情報とコンテンツデータの関連付けがなされる。
【０００９】
【発明の実施の形態】
本発明の実施形態においては、磁気記録媒体の基板表面において、記録トラック毎に異なる凹凸パターンを物理的に刻み込むことでトラックＩＤ情報を作り出す。この基板に磁性層を成膜することによりトラックＩＤ情報が埋め込まれた磁気記録媒体ができ、この磁気記録媒体の表面を磁化することで磁気ヘッドを用いてトラックＩＤ情報を読み取れるようにする。
【００１０】
トラックＩＤ情報は磁気記録媒体上のトラック位置との関連性や規則性がなくランダムに設定するものとする。これは磁気ヘッドからデータを読み込んだ際に、データ中のトラックＩＤ部分の信号論理を見破られ不正に書き換えられるのを防ぐためである。
【００１１】
また、１トラックあたりのトラックＩＤ数は任意であるが、セキュリティ性を高めるために複数設けることもできる。これはトラックＩＤを埋め込むことによる当該磁気記録媒体のデータ記録部分（データゾーン）の容量減少分を考慮して決めるのが望ましい。
【００１２】
以下、図面を参照して、本発明の実施の形態を詳細に説明する。
図１は記録トラックの構成を模式的に示す実施形態の磁気記録媒体（磁気ディスク）の部分平面図で、４１はトラックＩＤ、４２はサーボ情報、４３はデータゾーンである。
【００１３】
ここで、トラックＩＤ４１（およびサーボ情報４２）は、磁気記録媒体の表面に凹凸パターンを形成して埋め込むものであるが、その手順を図２に示す。図２（ａ）に示すように、磁気記録媒体表面の凹凸は、あらかじめ凹凸（トラックＩＤ４１に対応するパターン）を刻んだ型（スタンパー）１１を用意しておき、スタンパー１１を用いて磁気記録媒体となる非磁性基板１２を成型することで、スタンパー１１の凹凸パターンが基板１２に転写される。次に図２（ｂ）に示すように、その基板１２に磁性層２１を成膜し、図２（ｃ）（ｄ）に示すように着磁することで、トラックＩＤ４１の凹凸パターンに応じた信号波形が得られる。
【００１４】
磁気記録媒体に形成した凹凸を利用して信号を作り出す方法は、トラック上の位置識別情報（サーボ情報）４２をあらかじめ磁気記録媒体に刻み込んでおく方法として特開平６−６８４４４号公報や特開平７−１５３０４７号公報に記載されている。磁気記録媒体表面に凹凸として刻み込まれた情報は、特開２０００−３０６２３６号公報に記載される２段階着磁方法を用いることで再生出力を得ることができる。
【００１５】
すなわち、図２（ｃ）に示すように、まず磁気ヘッド３１に大きい電流を流し強く磁化することにより磁性層２１全面（凹も凸も）を一定方向ｍ１に磁化する。次に図２（ｄ）に示すように小さい電流による弱い磁化で表面（凸部）のみをｍ２方向に磁化する。印加電流の向きは１回目の磁化とは逆方向にする。以上の手順により凹凸パターンに応じた再生出力が得られることになる。なお、データゾーン４３は凹凸のない通常の表面である。
【００１６】
凹凸パターンで形成されるトラックＩＤ４１を磁気ヘッド３１により書き換えることは困難である。トラックＩＤ４１部分を上書きされたとしても、読み取りに先立ち磁気ヘッド３１により再磁化を行うことにより、元のパターンと同じトラックＩＤ情報を復元可能である。
【００１７】
上述の磁気記録媒体を磁気記録装置（ハードディスク装置）に搭載してデータの読み書きを行う場合には、まず磁気ヘッド３１を目標とするトラック上に移動するために、トラック上に記録された位置識別情報（サーボ情報）４２を検知する。サーボ情報４２は、その情報が読み込まれることによって磁気記録媒体上のトラック位置を判別して目標トラックと磁気ヘッド３１の位置誤差量を判断するためのものであるから、トラックの位置に関連した規則性をもって割り振られている必要がある。
【００１８】
また、トラックＩＤ４１は、トラック毎の固有名称のようなもので磁気ヘッド３１の位置追随のために機能するものではなく、磁気ヘッド３１が目標トラックに追随している際にトラック識別情報として読み出されるデータである。
【００１９】
そして、オリジナルのコンテンツデータ５１を当該磁気記録媒体に記録するときには、図３に示すように、オリジナルのコンテンツデータ５１の途中に凹凸パターンで形成されたトラックＩＤ５３が挿入され、この時点でオリジナルのコンテンツデータ５１は当該磁気記録媒体がもつトラックＩＤ５３が付加された一意的なコンテンツデータ５２として記録される。
【００２０】
記録されたコンテンツデータ５２を読み出す場合には、磁気ヘッド３１がデータゾーン５４に記録されているデータに加えトラックＩＤ５３も同時に読み取ることになり、当該磁気記録媒体をもつ磁気記録装置のユーザーはトラックＩＤ５３付きのコンテンツデータ６１（図４）のみ利用できることになる。
【００２１】
図４に示すように、コピーが許可されていないコンテンツデータ６１を他の磁気記録媒体６２にコピーしようとする場合には、コピー元で付与されたトラックＩＤ５３がコンテンツデータ６１中に含まれているため、コピー先のトラックＩＤ６３との整合性がとれずコピーできなくなる。
【００２２】
この場合、凹凸パターンで形成されたトラックＩＤ４１をもつ磁気記録媒体に、さらに媒体毎に異なるＩＤ情報（メディアＩＤ）や搭載されている磁気記録装置の機種情報、製造年月日等の情報（メディアメタ）を凹凸パターンで形成することにより、記録されているコンテンツデータ５２に付与するＩＤ情報を増やすことができ、改竄や不正コピーをより困難にすることができる。
【００２３】
また、図５に示すように、当該磁気記録媒体に記録されているコンテンツデータ７１をユーザーがコピーする場合に、トラックＩＤ７２を鍵７３として用い、コンテンツデータ７１を暗号化することができる。記録されたトラックによって付与されるトラックＩＤ７２が異なるため、それを一意的な鍵７３としての意味をもたせコンテンツを暗号化する。コピーの際は暗号化されたコンテンツデータ７４とトラックＩＤ７２による鍵７３が複写され、コピーされたトラックＩＤの鍵７７で、暗号化されているコンテンツデータ７５を復号する。この際、トラックＩＤの鍵７７とコンテンツデータ７５中に含まれるトラックＩＤ７６とが一致することで、コピーされたコンテンツデータ７８の正当性が認証される。
【００２４】
この場合において、凹凸パターンで形成されたトラックＩＤ４１をもつ磁気記録媒体に、さらにメディアＩＤやメディアメタ情報を凹凸パターンで形成することにより、記録されているコンテンツデータ７１に付与するＩＤ情報を増やすことができ、これらを鍵として用いることで、例えばトラックＩＤの鍵７３をメディアＩＤで暗号化する等、さらに複雑に暗号化することができる。
【００２５】
【発明の効果】
以上のような本発明によれば、記録トラック毎にトラックＩＤ情報を備えるので、このトラックＩＤ情報をコンテンツデータに関連付けることでコンテンツのセキュリティを強化することができる。
【００２６】
また、物理的凹凸パターンによりトラックＩＤ情報を埋め込むことにより、トラックＩＤ情報を改竄困難にできるので、それをコンテンツデータに関連付けることで、コンテンツの不正コピーやデータ改竄等の権利侵害をより確実に防ぐことができる。
【００２７】
さらに、記録したコンテンツデータを読み取る際にコンテンツデータにトラックＩＤ情報が付与されたコンテンツデータとして読み取るようにしたので、トラックＩＤ情報とコンテンツデータとの関連付けがなされ、コンテンツの著作権の保護をより確実なものとすることができる。
【図面の簡単な説明】
【図１】記録トラックの構成を模式的に示す本発明の実施形態の磁気記録媒体の部分平面図である。
【図２】凹凸パターンによりトラックＩＤを磁気記録媒体に埋め込む手順を模式的に示す本発明の実施形態の工程図であり、（ａ）から（ｄ）はその各工程を示す。
【図３】凹凸パターンによりトラックＩＤが埋め込まれた磁気記録媒体にデータを書き込む際の本発明の実施形態を示す模式図である。
【図４】凹凸パターンによりトラックＩＤが埋め込まれた磁気記録媒体からデータをコピーする際の本発明の実施形態を示す模式図である。
【図５】凹凸パターンによりトラックＩＤが埋め込まれた磁気記録媒体から暗号化してデータをコピーする際の本発明の実施形態を示す模式図である。
【符号の説明】
１１　スタンパー
１２　磁気記録媒体の非磁性基板
２１　磁性層
３１　磁気ヘッド
４１　凹凸パターンで埋め込まれたトラックＩＤ
４２　サーボ情報
４３　データゾーン
５１　オリジナルコンテンツデータ
５２　コンテンツデータが書き込まれたトラック
５３　トラックＩＤ情報
５４　データゾーン
６１　トラックＩＤが付与されたコンテンツデータ
６２　データが書き込まれていないときのトラック
６３　トラックＩＤ情報
７１　トラックＩＤが付与されたコンテンツデータ
７２　トラックＩＤ
７３　トラックＩＤを識別情報にもつ鍵
７４　暗号化されたコンテンツデータ
７５　コピーされた暗号化コンテンツデータ
７６　暗号化されたコンテンツデータ中のトラックＩＤ
７７　コピーされた鍵
７８　復号化されたコンテンツデータ
【図１】
2004054978.tif 000003
【図２】
2004054978.tif 000004
【図３】
2004054978.tif 000005
【図４】
2004054978.tif 000006
【図５】
2004054978.tif 000007